【手続補正書】
【提出日】平成25年5月29日(2013.5.29)
【手続補正１】
【補正対象書類名】特許請求の範囲
【補正対象項目名】全文
【補正方法】変更
【補正の内容】
【特許請求の範囲】
【請求項１】
錘の役目を兼ねた無端ベルト（液体等も含む）を、左右の重さ（長さ）を違え、短い方を運動エネルギーの入力部とし、長い方を出力部とし無端ベルトの軌道が確保され循環運動できる状態で、その無端ベルトに運動エネルギーを与えると無端ベルトが循環するが、入力部と出力部の長さを変えることを手段し入力する運動エネルギー以上の運動を出力部にさせることを特徴とする「循環エネルギー発生方法」。
【請求項２】
請求項１の「循環エネルギー発生方法」の入力部を垂直にし、この垂直部のベルトが上昇するような運動エネルギーを加えることを手段とし、無端ベルトが軌道を形成する通路とが接している部分に吸収されているベルトの比率の差額分の質量が運動エネルギーに変換されるが、ベルトの出力部の進行方向も下降軌道のためベルトの受けている重力とかさなることでベルトの循環運動の一部をまかなわせることを特徴とする「重力変換方法」。
【請求項３】
請求項１並びに請求項２の無端ベルト、または、軌道を形成する構造物を複数本束ね一つの構造体としたことを特徴とする循環構造、または、請求項１並びに請求項２の無端ベルト、または、軌道を形成する構造物を複数本束ね中心軌道を持つ一つの構造体としことを、特徴とする「循環構造体」。
【請求項４】
「循環エネルギー発生方法」、並びに「重力変換方法」、並びに「循環構造体」を用いることで生じさせることを特徴とするエネルギー。
【手続補正２】
【補正対象書類名】明細書
【補正対象項目名】全文
【補正方法】変更
【補正の内容】
【発明の詳細な説明】
【発明の名称】循環エネルギー発生方法
【技術分野】
【０００１】本発明は化石燃料をエネルギー源とする経済活動で引き起る公害や地球温暖化の防止に役立つ新たなエネルギー発生方法，「循環エネルギー発生方法」である。
【背景技術】
【０００２】現在、人類の経済活動は一部を除き、化石燃料を使っているため、ＣＯ２などの排ガス等有害物質を大量に発生させている。
【発明の開示】
【発明が解決しようとする課題】
【０００３】現在のエネルギー利用方法では、地球環境が悪化し生態系への影響がはかりしれない。【０００４】そこで太陽光や風力などの自然エネルギーが考えられているが、エネルギー効率やコストの面で課題が多い。
【課題を解決する為の手段】
【０００５】  錘の役目を兼ねた無端ベルト（液体等も含む）を、重さ（長さ）を１対２の比率にし正三角形の形状とする。そこで比率１の部分を入力部とし比率２の部分を運動部（出力部）とする。その無端ベルトに運動エネルギーを与えると無端ベルトが循環するが、長さ（重さ）の比率を変えたことで無端ベルトに投入する運動エネルギーの２倍の運動をさせることができる。
【０００６】上記の無端ベルトの入力部位を垂直にしこの部分のベルトが上昇する運動エネルギーを与えることで、出力部の進行方向が下降軌道となり、ベルトと軌道（通路）が接する部分に吸収されていた差額分の質量（重力）が入力した運動エネルギーとベクトルの方向がある程度かさなり、無端ベルトの循環運動の一部をまかなわせることができるのである。
【０００７】そこで、上記の無端ベルトを複数本束ね中心軌道を有する循環構造体とすることで、相乗効果を得られるのである。
【０００８】上記の課題解決手段による作用は次の通りである
エネルギー問題が解決できる。
【０００９】また、新技術の開発や科学分野の発展など相乗効果も見込める。
【発明の効果】
環境破壊を防止し、科学技術の発展や資源をめぐる戦争や貧困を解決し、意識レベルの向上が見込まれる。
【発明を実施する為の最良の形態】
【００１０】以下本発明の実施の形態を図１〜図５に基づいて説明する．
【００１１】図１は従来のエネルギーの利用方法を現している。Ａ辺は入力する部位としＢ辺は出力（運動）する部位とする。このように従来のエネルギーの変換方法では最大でも入力に対し１００％の変換効率でしかなかった。
【００１２】図２は出力部を入力部の２倍の長さにし正三角形にし一辺（入力部）を垂直にしたものである。このとき、Ａ対ＢＣの長さは１対２であるが重さ的には、ベルトと軌道（通路）とが接することで差額分の重力は吸収され入力部と同じ重さとなり吊りあっている。図１のＡと図２のＡの部位が出力側から受ける力（重力）は等しいのである。
つまり、入力部の長さ１に対して出力部の長さは倍の２であり、運動能力は２倍となり入力部に運動エネルギーを加えることで２倍の出力（運動量）を得るのである。
【００１３】図３は運動効率をあげるためＢＣ間をなめらかな角度で弧を描くようにしたものである。
この形状にしても軸と弧の重さの比率は、（１：２）であるが図１−ＩＩで示したようにＢ−Ｃ間の角度を６０度とし、その角度をはみ出さないように図３−Ｉ、図３−ＩＩＩの外周軌道をとるのが望ましいが図２の正三角形の形状でもかまわない。しかし、ベルトやベルトの軌道には滑車、ベアリング等の摩擦低減装置を用い極力摩擦抵抗を減らすこととする。
Ｉ、ＩＩは横  ＩＩＩは上から見た図である。
【００１４】図４−Ｉは複数（６本）の無端ベルトを束ね循環構造体としたときの上から見た図である。図のように中心軸からの放射角度（ＢＣ：ＣＤ）も６０度にすることで６個の軌道をもつ花ような形となるが外周軌道を斜めにしたことで循環構造体が回転力を得ることを考慮しなければならない。（ベルトの代わりに液体を用いる場合、中心軌道を１本でまかなってもよい、など、用途に応じて調整するとよい。）
ＩＩは横から見た図である。
【００１５】図５は循環構造体に入力するためのリング（無端ベルト）を設けたものである。図では示していないが、リングの設置状況は６本の垂直軌道で挟み込み、リングも軌道が確保された状態である。また、リングの代わりに大きいサイズの無端ベルトを用いてもよい。
以上ではあるが入出力等はリングに拘らず、それぞれの用途に応じて対応（変更）することが望ましい。これら、リング、循環構造体の材質、設置状況等は要求される運動などを考慮して決定される設計的事項であるため、明記はしない。
【図面の簡単な説明】
【００１６】
【図１】従来のエネルギーの変換効率をあらわしている。
【図２】循環エネルギー発生方法の原理をあらわしたものである。
【図３】Ｉはベルト横から見た図である。又、Ｉ〜ＩＩＩそれぞれベルトの動きも表してる。ＩＩはＩとは別な角度で横から見た図である。ＩＩＩは上から見た図である。
【図４】Ｉは循環構造体を上から見たものである。ＩＩは循環構造体を横から見たものである。また無端ベルトの動きを矢印で現している。
【図５】Ｉはリングを配置した循環構造体を横から見たものである。ＩＩはリングを配置した循環構造体を上から見たものである。
【符号の説明】
【００１７】Ａ，Ｂ，Ｃ，はベルトの軌道の長さ、辺をあらわしている。
Ｄは循環構造体である。
Ｅは入力するためのリングである。
【手続補正３】
【補正対象書類名】図面
【補正対象項目名】全図
【補正方法】変更
【補正の内容】
【図１】
2012219812.tif 000001
【図２】
2012219812.tif 000002
【図３】
2012219812.tif 000003
【図４】
2012219812.tif 000004
【図５】
2012219812.tif 000005